(57)【要約】      （修正有）【課題】操作上の動作を簡易化し、実銃の操作をさらに効果的に模擬するマガジン自動射出構造を提供する。【解決手段】引き金構造を備えるトイガン本体と組み合わされ、主にマガジン収容溝１２と、ＢＢ弾を収納する少なくとも１つの模擬弾２と、模擬弾の一側に弾性的に枢設される弾丸ほぞ３と、ＢＢ弾を射出させる弾押し部品４と、弾押し部品の底部に連結された弾押し弾性部品４１と、弾丸ほぞ上に弾性的に設けられる伸縮プッシュロッド５と、引き金構造１１の一側に位置する少なくとも１つの引き金連動部１１１と、からなる。ＢＢ弾がすべて射撃されると、弾押し部品は伸縮プッシュロッドを押すことで、局部が弾丸ほぞの一側に突出し、続いて引き金構造の後ろに引く動作により、同時に伸縮プッシュロッドが連動して後ろに移動し、さらに弾丸ほぞによって当止動作が解除されることで、模擬弾が自動でマガジン収容溝から射出される。【選択図】図２
0003216500.tif 000002
【実用新案登録請求の範囲】
【請求項１】
引き金構造を備えるトイガン本体と組み合わせられるマガジン自動射出構造であって、主に、
前記トイガン本体内に形成されるマガジン収容溝と、
前記マガジン収容溝内に弾性的に設けられ、少なくとも１つのＢＢ弾を収容する少なくとも１つの模擬弾と、
前記模擬弾の一側に弾性的に枢設され、前記模擬弾を選択的に当止することで、模擬弾が前記マガジン収容溝から出るのを防ぐ弾丸ほぞと、
前記模擬弾内に弾性的に設けられ、前記ＢＢ弾を射出する弾押し部品と、
前記模擬弾内に設けられるとともに、前記弾押し部品の底部に連結される弾押し弾性部品と、
前記弾丸ほぞ上に弾性的に設けられ、前記弾押し部品が押すことによっての局部が前記弾丸ほぞの一側に突出する伸縮プッシュロッドと、
前記引き金構造の一側に位置し、前記引き金構造の後ろに引く動作により、同時に前記伸縮プッシュロッドを連動して後ろに移動させ、さらに前記弾丸ほぞにより前記当止動作を解除することによって、前記模擬弾を前記マガジン収容溝から射出させる少なくとも１つの引き金連動部と、からなるマガジン自動射出構造。
【請求項２】
前記模擬弾は、前記マガジン収容溝内に固設される弾丸弾性部品と、前記弾丸弾性部品の端面上に設けられ前記模擬弾を載せる少なくとも１つの積載位置決め部品と、前記弾丸ほぞの側面と隣り合うとともにそれに対応して組み合わせられる少なくとも１つの弾丸当止部を備え、さらに前記弾丸ほぞの端部は、前記マガジン収容溝の一側に設けられる枢軸部を備え、前記弾丸ほぞにおける前記模擬弾から離れた一側は少なくとも１つのほぞ弾性部品を備え、前記弾丸ほぞを選択的に押して、前記模擬弾の方向に弾性的に振り動かすことを特徴とする、請求項１に記載のマガジン自動射出構造。
【請求項３】
前記弾丸弾性部品は、複数の弾性片体と、２つずつ前記複数の弾性片体に連結される少なくとも１つの弾性折り返し部を備えることを特徴とする、請求項２に記載のマガジン自動射出構造。
【請求項４】
前記弾押し部品は、支柱台と、前記支柱台の一側に形成される押上部を備え、前記伸縮プッシュロッドを押すとともに、前記伸縮プッシュロッドは、前記弾丸ほぞから選択的に突出することで前記引き金連動部と連動する突出部と、前記突出部の一側に位置する受圧部を備え、前記押上部と連動して作動し、さらに前記模擬弾の一側は、前記押上部をスライドさせるスライド溝部を備えるとともに、前記受圧部は、選択的に前記スライド溝部内に挿入されることを特徴とする、請求項１に記載のマガジン自動射出構造。
【請求項５】
前記弾丸ほぞ上には、前記伸縮プッシュロッドを収容する収容溝と、前記収容溝の側壁に形成されるとともに前記伸縮プッシュロッドを固定する少なくとも１つのストッパー部が備えられ、さらに前記伸縮プッシュロッドは、前記ストッパー部に対応して組み合わせられるストッパー部品と、前記収容溝及び前記ストッパー部品の間に設けられるプッシュロッド弾性部品を備えることを特徴とする、請求項１に記載のマガジン自動射出構造。
【考案の詳細な説明】
【技術分野】
【０００１】
本考案は、操作をさらに簡単にするとともに、実銃の弾薬を装填する操作における動作を高精度に模擬するマガジン自動射出構造に関する。
【背景技術】
【０００２】
トイガンの模擬品は、発射する弾薬の種類が制限されていることで模擬動作も制限されるため、マガジンの構造に直接影響を及ぼしている。一般に実銃のマガジンは、弾丸が薬莢及び弾頭で構成されているため、マガジンの構造もそれに対応して組み合わせられるのに対し、トイガンのマガジンは、装弾レールによってＢＢ弾を収容する。模擬品であるという前提のもとに、どのようにしてトイガンのマガジンに実弾を装填するような操作感を備えさせるかが、本考案の申請者が目指す方向性である。
【０００３】
実弾装填の操作感は、模擬銃の種類によっても差がある。ほとんどの銃は、１つの取り外し可能なマガジンを備えるとともに、マガジンを取り替えることによって素早く弾薬を補充するが、マガジンを取り外す動作は、マガジンのほぞを操作しなければ取り外すことができない。ただし、マガジンを取り替える動作は、モーゼルＫａｒ９８ｋ（第二次世界大戦時代のライフル銃の一種）といった一部の種類の銃にはない。この種の銃はマガジンが銃に組み込まれており、実弾が１つずつ組み込み式のマガジンの中に詰め込まれるため、実弾装填動作の模擬を難しくしている。
【考案の概要】
【考案が解決しようとする課題】
【０００４】
本考案の主な目的は、引き金を操作し、弾丸ほぞを動かしてマガジンから弾（模擬弾）が発射されるようにすることで、操作上の動作をさらに簡単かつ便利にし、実銃を操作する際の動きにさらに近づけるとともに、模擬弾を自動で発射させる動きと連動させることによって、直接弾薬を装填する型の弾丸薬装填時の動作を高精度に模擬することである。
【課題を解決するための手段】
【０００５】
本考案は、引き金構造を備えるトイガン本体と組み合わされ、主にトイガン本体内に形成されるマガジン収容溝からなる。マガジン収容溝内には少なくとも１つのＢＢ弾を収容する少なくとも１つの模擬弾が弾性的に設けられるとともに、模擬弾の一側には弾丸ほぞが弾性的に枢設され、模擬弾を選択的に当止することで、模擬弾がマガジン収容溝から出るのを防ぐ。さらに模擬弾内にはＢＢ弾を射出させる弾押し部品が弾性的に設けられるとともに、模擬弾内には弾押し部品底部に連結される弾押し弾性部品が設けられる。さらに弾丸ほぞ上には伸縮プッシュロッドが弾性的に設けられ、弾押し部品が押すことによって局部が弾丸ほぞの一側に突出する。さらに、引き金構造の一側には少なくとも１つの引き金連動部が設けられる。
【０００６】
使用者が本考案を用いて銃操作時の動作を模擬する場合、模擬弾をマガジン収容溝に装填する動作により実弾を装填する動作を模擬することができるとともに、ＢＢ弾を発射する過程において、弾押し弾性部品によって弾押し部品が徐々に押されることで、ＢＢ弾がすべて発射されると伸縮プッシュロッドが押される。この時、使用者が引き金構造を後ろに引くだけで、引き金連動部によって伸縮プッシュロッドが連動して後ろに移動し、さらに弾丸ほぞによって模擬弾を当止する動作が解除されることによって、模擬弾が自動でマガジン収容溝から射出される。これによりマガジンを手動で取り外す動作なしに、直接弾薬を装填する型の弾丸薬装填動作を高精度に模擬することができる。
【考案の効果】
【０００７】
上述の技術によって、従来の実弾装填の操作感に存在する手動でマガジンを取り外さなければならず、操作上の動作が比較的複雑であるという問題点と、実銃における弾薬装填を模擬する上でのリアルさに欠けるという問題点を解決し、上述の長所における実用進歩性を達成する。
【図面の簡単な説明】
【０００８】
【図１】本考案の斜視透視図である。
【図２】本考案における内臓マガジン収容溝の筺体の内部構造を示した図である。
【図３】本考案の内臓トイガン本体の分解図である。
【図４】本考案の内臓マガジン本体を別の角度から見た分解図である。
【図５】本考案における模擬弾装填を示した図１である。
【図６】本考案における模擬弾装填を示した図２である。
【図７】本考案の使用状態図である。
【図８】本考案の動作を示した図１である。
【図９】本考案の動作を示した図２である。
【図１０】本考案における引き金の連動を示す図である。
【図１１】本考案における自動の弾丸排出を示す図である。
【考案を実施するための形態】
【０００９】
図１〜図４に示す通り、本考案は引き金構造１１を備えるトイガン本体１に組み合わされ、主にマガジン収容溝１２と、模擬弾２と、スライド溝部２４と、弾丸ほぞ３と、弾丸当止部２３と、枢軸部３１と、ほぞ弾性部品３２と、弾押し部品４と、弾押し弾性部品４１と、伸縮プッシュロッド５と、収容溝３３と、ストッパー部３３１と、引き金連動部１１１と、からなる。
【００１０】
前記マガジン収容溝１２は、前記トイガン本体１内に形成される。
【００１１】
少なくとも１つの前記模擬弾２は、前記マガジン収容溝１２内に弾性的に設けられ、少なくとも１つのＢＢ弾６を収容するとともに、前記模擬弾２は、前記マガジン収容溝１２内に固設される弾丸弾性部品２１と、前記弾丸弾性部品２１の端面上に設けられる少なくとも１つの積載位置決め部品２２を備え、前記模擬弾２を載せる。そのうち前記弾丸弾性部品２１は、複数の弾性片体２１１と、２つずつ前記複数の弾性片体２１１に連結される少なくとも１つの弾性折り返し部２１２を備える。
【００１２】
前記スライド溝部２４は、前記模擬弾２の一側に形成される。
【００１３】
前記弾丸ほぞ３は、前記模擬弾２の一側に弾性的に枢設され、前記模擬弾２を選択的に当止することで、模擬弾２が前記マガジン収容溝１２から射出されないようにする。
【００１４】
前記少なくとも１つの弾丸当止部２３は、前記模擬弾２と隣り合う前記弾丸ほぞ３の側部に位置し、前記弾丸ほぞ３に対応して組み合わせられる。
【００１５】
前記枢軸部３１は、前記弾丸ほぞ３の端部に設けられるとともに、前記マガジン収容溝１２の一側に位置する。
【００１６】
前記少なくとも１つのほぞ弾性部品３２は、前記弾丸ほぞ３における前記模擬弾２から離れた一側に設けられ、前記弾丸ほぞ３を選択的に押して、前記模擬弾２の方向に向かって弾性的に振り動かす。
【００１７】
前記弾押し部品４は、前記模擬弾２７内に弾性的に設けられ、前記ＢＢ弾６を射出する。前記弾押し部品４は、支柱台４２と、前記支柱台４２の一側に形成される押上部４３を備え、前記スライド溝部２４をスライドすることで下記の伸縮プッシュロッド５を押す。
【００１８】
前記弾押し弾性部品４１は、前記模擬弾２内に設けられるとともに、前記弾押し部品４の底部に連結される。
【００１９】
前記伸縮プッシュロッド５は、前記弾丸ほぞ３上に弾性的に設けられ、前記弾押し部品４が押すことによって局部が前記弾丸ほぞ３の一側に突出するとともに、前記伸縮プッシュロッド５は、前記弾丸ほぞ３から選択的に突出することで下記の引き金連動部１１１と連動する突出部５１と、前記突出部５１の一側に位置するとともに前記押上部４３と連動して作動する受圧部５２と、下記のストッパー部３３１に対応して組み合わせられるストッパー部品５３と、前記収容溝３３及び前記ストッパー部品５３の間に設けられるプッシュロッド弾性部品５４を備える。
【００２０】
前記収容溝３３は、前記弾丸ほぞ３上に形成され、前記伸縮プッシュロッド５を収納する。
【００２１】
前記少なくとも１つのストッパー部３３１は、前記収容溝３３の側壁に形成され、前記伸縮プッシュロッド５を固定する。
【００２２】
前記少なくとも１つの引き金連動部１１１は、前記引き金構造１１の一側に位置し、前記引き金構造１１の後ろに引く動作により、同時に前記伸縮プッシュロッド５を連動して後ろに移動させ、さらに前記弾丸ほぞ３により前記当止動作を解除することによって、前記模擬弾２を前記マガジン収容溝１２から射出させる。
【００２３】
図１〜図１１に示す通り、本考案のトイガン本体１の代表は、モーゼルＫａｒ９８ｋ（第二次世界大戦時代のライフル銃の一種）である。この型の銃は、マガジンが銃の中に組み込まれており、その実弾装填動作は、１弾ずつ組み込み式のマガジンの中に詰め込まれる動きであるため、本考案は主にこの手の直接弾薬を装填する型の弾丸薬装填動作を模擬しているが、前記の型の規格の銃に限定されない。
【００２４】
実際の操作時には、図５〜図６に示す通り、トイガン本体１は、マガジン収容溝１２を備えてはいるが、実弾を模擬した模擬弾２を収容しているだけであり、ＢＢ弾６は模擬弾２内に収容される。よって使用者がＢＢ弾６の装填を完了すると、すぐに実弾の装填動作を模擬し、模擬弾２をマガジン収容溝１２内に設置することができる。同時に弾丸弾性部品２１を下に圧縮するとともに、下方向に加圧する過程において、ほぞ弾性部品３２が弾丸ほぞ３を模擬弾２の方向に絶え間なく押し当てることで、弾丸ほぞ３は、枢軸部３１を軸にして揺れ動く。（ほぞ弾性部品３２は、軟質の弾性体または図示したばねであることができる）模擬弾２が定位置にまで押されると、弾丸ほぞ３はすぐに弾丸当止部２３上で止まるとともに、弾丸ほぞ３と弾丸当止部２３が対応して組み合わせられることにより、模擬弾２は、マガジン収容溝１２内に固定される。そのうち、前記模擬弾２は、一般の伸縮ばねである、または弾性体材質として設計されることができることで、弾丸弾性部品２１の設置が省かれ、さらには複数の弾性片体２１１及び弾性折り返し部２１２により、Ｍ字形またはギザギザの連続して折れ曲がった状態にすることができることで、弾丸弾性部品２１の両端の弾性片体２１１は、マガジン収容溝１２の底部及び模擬弾２の底部にそれぞれ固定されることができる。さらに模擬弾２の部分における弾性片体２１１上には、少なくとも１つの積載位置決め部品２２が備えられることで、模擬弾２の位置がさらにしっかりと固定される。これにより、模擬弾２の装着過程（または後に続く弾を出す過程）は、マガジン収容溝１２からスムーズに出し入れすることができ、さらに模擬弾２の摩耗率が低下する。
【００２５】
装着完了後、トイガン本体１はすぐに正常に操作することができる。ＢＢ弾６を発射する過程において、ＢＢ弾６は、弾押し弾性部品４１によって上向きに支柱台４２を押し、さらにＢＢ弾６が１つずつ上向きに押し上げられる。最後の１発が射撃されると、弾押し部品４も伸縮プッシュロッド５の一側にまで上がるとともに、最後の一発のＢＢ弾６が射撃されると、弾押し部品４が伸縮プッシュロッド５に接触して上向きに押す。同時に、弾押し部品４の押上部４３もまたスライド溝部２４に沿って上向きにスライドし、さらに伸縮プッシュロッド５の受圧部５２に抵触することで、伸縮プッシュロッド５の突出部５１は、弾丸ほぞ３から突出するとともに、引き金構造１１の一側において抵触する。
【００２６】
続いて、ＢＢ弾６がすべて射撃されると、実弾がすべて射撃された場合の操作時の動作に対応して、引き金構造１１を後ろに引くとともに、引き金構造１１を後ろで固定して、実弾の填充を行う。これにより、本考案は同様に上述の引き金構造１１の動作を模擬し、使用者が引き金を後ろに引くと、引き金連動部１１１が連動して後ろに動くようにすることで、同時に伸縮プッシュロッド５の突出部５１が後ろに押すようにする。この時、弾丸ほぞ３は伸縮プッシュロッド５に連動して、枢軸部３１を軸として逆方向に回転し、さらに弾丸ほぞ３が逆方向に揺れ動くことで、模擬弾２における弾丸当止部２３の当止動作が解除される。最後に、弾丸弾性部品２１の弾力によって模擬弾２がマガジン収容溝１２から射出される。これにより、引き金構造１１を操作し、弾丸ほぞ３を連動させ、模擬弾２が自動で射出するようにすることで、操作上の動作がさらに簡単且つ便利になり、実銃操作時の動作にさらに近づく。
【００２７】
ＢＢ弾６を再び充填し終わると、引き金構造１１が前に動く。この時弾押し部品４は、まだ受圧部５２を押していないため、プッシュロッド弾性部品５４によって受圧部５２をスライド溝部２４の中に挿入することができる。同時に、プッシュロッド弾性部品５４が下向きに収容溝３３の底部を押す弾力及び上向きにストッパー部品５３を押す弾力によって、伸縮プッシュロッド５は収容溝３３に確実に固定されるとともに、ＢＢ弾６を次に填充する動作までストッパー部３３１内にとどめられる。
【００２８】
よって、本考案が改善することのできる従来の主要技術は、以下の２点である。
【００２９】
一、ＢＢ弾６を填充する動作において実弾を填充する動作に完璧に似せることで、弾薬を直接装填するタイプの弾丸薬装填動作に対する模擬精度を大幅に高める。
【００３０】
二、各構造は密接につながっており、同時に連動することで、使用時の操作における動作を大幅に簡易化する。
【符号の説明】
【００３１】
１      トイガン本体
１１    引き金構造
１１１  引き金連動部
１２    マガジン収容溝
２      模擬弾
２１    弾丸弾性部品
２１１  弾性片体
２１２  弾性折り返し部
２２    積載位置決め部品
２３    弾丸当止部
２４    スライド溝部    
３      弾丸ほぞ
３１    枢軸部
３２    ほぞ弾性部品
３３    収容溝
３３１  ストッパー部
４      弾押し部品
４１    弾押し弾性部品
４２    支柱台
４３    押上部
５      伸縮プッシュロッド
５１    突出部
５２    受圧部
５３    ストッパー部品
５４    プッシュロッド弾性部品
６      ＢＢ弾
【図１】
0003216500.tif 000003
【図２】
0003216500.tif 000004
【図３】
0003216500.tif 000005
【図４】
0003216500.tif 000006
【図５】
0003216500.tif 000007
【図６】
0003216500.tif 000008
【図７】
0003216500.tif 000009
【図８】
0003216500.tif 000010
【図９】
0003216500.tif 000011
【図１０】
0003216500.tif 000012
【図１１】
0003216500.tif 000013